(57)【要約】      （修正有）【課題】例え、鋭利な工具等が差し込まれても、不正開封防止性を担保することができるヒンジキャップを提供する。【解決手段】キャップ本体２と、上蓋３と、不正開封防止帯４とを備えており、キャップ本体２は、上蓋３が閉蓋された際に上蓋３を係止する係止片１６Ａを有し、上蓋３は、キャップ本体２にヒンジ部１４を介して回動自在に結合されると共に貫通孔２９が形成された鍔部２６を有するヒンジキャップ１において、上蓋３が閉蓋された際に係止片１６Ａが貫通孔２９に貫入すると共に鍔部２６の下面と不正開封防止帯４の上面とが当接し、合せ面２７を形成する様にする。【選択図】図１
2014189315.tif 000002
【特許請求の範囲】
【請求項１】
キャップ本体と、上蓋と、不正開封防止帯とを備えており、
該キャップ本体は、該上蓋が閉蓋された際に該上蓋を係止する係止片を有し、
該上蓋は、該キャップ本体にヒンジ部を介して回動自在に結合されると共に貫通孔が形成された鍔部を有するヒンジキャップであって、
該上蓋が閉蓋された際に該係止片が該貫通孔に貫入すると共に該鍔部の下面と不正開封防止帯の上面とが当接し、合せ面を形成することを特徴とするヒンジキャップ。
【請求項２】
前記上蓋が閉蓋された際に前記不正開封防止帯と前記キャップ本体の間の間隙を塞ぐように薄肉部が更に設けられていることを特徴とする請求項１に記載のヒンジキャップ。
【請求項３】
前記係止片は、前記上蓋が閉蓋された際に前記不正開封防止帯と前記キャップ本体の間の間隙を塞ぐように設けられていることを特徴とする請求項１に記載のヒンジキャップ。
【請求項４】
前記合せ面の外縁には、不正開封防止壁が形成されていることを特徴とする請求項１乃至３の何れかに記載のヒンジキャップ。
【請求項５】
前記係止片は、その外面に内方に向かって傾斜するテーパー面を有すると共に該テーパー面の下部に返し部が形成されていることを特徴とする請求項１乃至４の何れかに記載のヒンジキャップ。
【請求項６】
前記上蓋は、該上蓋が閉蓋した際に前記係止片の上面に当接する抑え突起部を有していることを特徴とする請求項１乃至５の何れかに記載のヒンジキャップ。
【請求項７】
前記係止片は、その内面に係止部が形成されており、
前記上蓋は、その外面に係合部が形成されており
該上蓋が閉蓋した際に該係合部と該係止部とが係合することを特徴とする請求項１乃至６の何れかに記載のヒンジキャップ。
【請求項８】
前記キャップ本体は、その外面の前記不正開封防止帯で隠される部分に表示部を有することを特徴とする請求項１乃至７の何れかに記載のヒンジキャップ。
【発明の詳細な説明】
【技術分野】
【０００１】
本発明は、不正開封防止機能を有するヒンジキャップに関する。
【背景技術】
【０００２】
飲食料品や調味料等が入った容器の多くがその口部にキャップを装着することによって、流通過程における容器の密閉性を保持している。例えば、悪戯等によって、流通過程において当該キャップが不正開封されると、内容物の劣化や異物混入等が起こり、その品質を保持することが困難となる。そこで、不正開封防止構造を備えたキャップが開発されている（例えば、引用文献１及び２を参照）。
【先行技術文献】
【特許文献】
【０００３】
【特許文献１】特開２００６−３６２８５号公報
【特許文献２】特開平９−１２０５４号公報
【発明の概要】
【発明が解決しようとする課題】
【０００４】
しかしながら、特許文献１に記載されたヒンジキャップにおいては、不正開封防止帯の両端に形成された２つの係合片の２点のみで鍔部が係合されているものであるため、鍔部と不正開封防止帯との係合力が弱く、先端が鋭利な工具を鍔部と重合片との間に差し込むことによって、鍔部と係合片の係合が解除され、比較的容易に不正開封される可能性があるものであった。
【０００５】
又、特許文献２に記載されたヒンジキャップにおいては、係止片と鍔部との係合が比較的強固であるが、しかし、ヒンジキャップを製造する際に係止片を鍔部に形成された貫通口に嵌め込むために該係止片と鍔部とに可撓性を持たせているため、鍔部と係止片との間に鋭利な工具を差し込まれると係止片と鍔部との係合が解除され、比較的容易に不正開封される可能性があるものであった。又、該係止片がぐらつき易いために、貫通口に嵌め込むセット作業が安定しないという難点があった。
【０００６】
従って、本発明は、例え、鋭利な工具等が差し込まれても、不正開封防止性を担保することができるヒンジキャップを提供することを目的とする。更に、セットが安定的に行えるヒンジキャップを提供することを目的とする。
【課題を解決するための手段】
【０００７】
本発明は、キャップ本体と、上蓋と、不正開封防止帯とを備えており、該キャップ本体は、該上蓋が閉蓋された際に該上蓋を係止する係止片を有し、該上蓋は、該キャップ本体にヒンジ部を介して回動自在に結合されると共に貫通孔が形成された鍔部を有するヒンジキャップであって、該上蓋が閉蓋された際に該係止片が該貫通孔に貫入すると共に該鍔部の下面と不正開封防止帯の上面とが当接し、合せ面を形成することを特徴とするヒンジキャップである。
【０００８】
又、本発明は、前記上蓋が閉蓋された際に前記不正開封防止帯と前記キャップ本体の間の間隙を塞ぐように薄肉部が更に設けられていることを特徴とするヒンジキャップである。又、本発明は、前記係止片は、前記上蓋が閉蓋された際に前記不正開封防止帯と前記キャップ本体の間の間隙を塞ぐように設けられていることを特徴とするヒンジキャップである。又、本発明は、前記合せ面の外縁には、不正開封防止壁が形成されていることを特徴とするヒンジキャップである。又、本発明は、前記係止片は、その外面に内方に向かって傾斜するテーパー面を有すると共に該テーパー面の下部に返し部が形成されていることを特徴とするヒンジキャップである。
【０００９】
又、本発明は、前記上蓋は、該上蓋が閉蓋した際に前記係止片の上面に当接する抑え突起部を有していることを特徴とするヒンジキャップである。又、本発明は、前記係止片は、その内面に係止部が形成されており、前記上蓋は、その外面に係合部が形成されており、該上蓋が閉蓋した際に該係合部と該係止部とが係合することを特徴とするヒンジキャップである。又、本発明は、前記キャップ本体は、その外面の前記不正開封防止帯で隠される部分に表示部を有することを特徴とするヒンジキャップある。
【発明の効果】
【００１０】
本発明は、上蓋が閉蓋された際に、鍔部の貫入孔に係止片を貫入させることによって、上蓋とキャップ本体とを係止すると共に該鍔部の下面が不正開封防止帯の上面と当接する様にしたため、鍔部と不正開封防止帯との隙間に工具を差し込むことが困難となっており、例え、無理矢理に該隙間に工具を差し込もうとしても鍔部が係止片によって抑えられているため、鍔部が持ち上がることが防止され、その結果、不正開封されることを防止することができる。更に、係止片は、薄肉部を介して不正開封防止帯と連結した構成とすることができ、係止片がぐらついたりせず、鍔部の貫入孔に係止片を貫入させるセット作業を安定させることができる。
【図面の簡単な説明】
【００１１】
【図１】本発明の第１実施形態の開蓋時における平面図である。
【図２】本発明の第１実施形態の閉蓋時における平面図である。
【図３】本発明の第１実施形態の開蓋時における底面図である。
【図４】本発明の第１実施形態の閉蓋時における左側面図である。
【図５】本発明の第１実施形態の不正開封防止帯除去後の状態を示す図であり、図４に相当する図である。
【図６】本発明の第２実施形態の開蓋時における平面図である。
【図７】本発明の第２実施形態の閉蓋時における平面図である。
【図８】本発明の第２実施形態の開蓋時における底面図である。
【図９】本発明の第２実施形態の閉蓋時における左側面図である。
【図１０】図１及び図６のＸ−Ｘ線断面図である。
【図１１】図１０の要部拡大図である。
【図１２】本発明の第３実施形態を示す図であり、図１１に相当する図である。
【発明を実施するための形態】
【００１２】
本発明の第１実施形態を図１乃至図５並びに図１０及び図１１に基づいて説明する。ヒンジキャップ１（以下、単にキャップ１ともいう）は、キャップ本体２、上蓋３及び不正開封防止帯４とを備える。尚、本発明において、上下方向は上蓋３が閉蓋された状態で定めるものとし、上蓋３側が上側、キャップ本体２側が下側と定義する。
【００１３】
キャップ本体２は、頂壁５を有し、その上面には、係合筒６及び注出筒７が立設されている。又、頂壁５の外周縁からは外筒８が垂設されており、その下面からは外筒８と同心円上に内筒９が垂設されている。外筒８及び内筒９はキャップ１が装着される容器（図示せず）が嵌着される嵌着溝を形成している。そして、注出筒７より内方の頂壁５には、スコア１０で区画された開口予定部１１が形成されており、開口予定部１１にはプルリング１２が立設されている。
【００１４】
外筒８には、不正開封防止帯４より隠されるその外周面には表示部１３が形成される。表示部１３は、例えば、「開封済」等の開封されたことを示す表示が付されている。又、外筒８のヒンジ部１４とは反対側の上端部は、弱化部１５（以下、弱化部３２，３４と区別をするために便宜的に第１弱化部１５という）を介して係止片１６Ａと連結されている。
【００１５】
係止片１６Ａは、上蓋３が閉蓋（以下、単に閉蓋ともいう）された際に、不正開封防止帯４と外筒８との間に形成された間隙１７を上方より覆う様に形成される。又、その外周面にテーパー面１８及びテーパー面１８と連続する切欠部１９が形成されている。
【００１６】
テーパー面１８は、内方に向かって傾斜する様に形成されている。尚、本発明において、テーパー面１８の傾斜方向は、その上り方向により定義されるものとする。又、切欠部１９は、閉蓋された際に上蓋３の鍔部２６と係合する様に形成されている。つまり、係止片１６Ａには返し部２０が形成されていることとなる。
【００１７】
上蓋３は、ヒンジ部１４を介してキャップ本体２と回動自在に結合されており、天壁２１、天壁２１の外周縁より垂下するスカート壁２２を有する。天壁２１の内面からは、その外方より、中足２３及びインナーリング２４が同心円上に垂設されている。閉蓋された際に中足２２は係合筒６に、インナーリング２４は注出筒７の内周面に各々当接する様に形成されている。
【００１８】
スカート壁２２には、ヒンジ部３側とは反対側の外側面に抑え突起部２５が形成され、ヒンジ部３側とは反対側の下端部に鍔部２６が形成される。抑え突起部２５は、閉蓋された際に、キャップ本体２の係止片１６Ａの上面１６ａに当接する様に形成されている。
【００１９】
鍔部２６は、閉蓋された際にその下面２６ａが不正開封防止帯４の基部上面２７ａと当接し、合せ面２８が形成される様に設けられる。つまり、鍔部２６は、基部２７よりも一回り小さく形成されていることとなる。又、その際に係止片１６Ａが貫入される貫通孔２９が形成されている。貫通孔２９は、その大きさが係止片１６Ａと同程度の大きさ（閉蓋されて際に係止片１６Ａが貫通孔２９を塞ぎ、係止片１６Ａと鍔部２６との間の隙間から工具等を差し込むことが困難な程度の大きさ）に形成される。
【００２０】
不正開封防止帯４は、指掛け部３０及び基部２７を有しており、本実施形態においては、基部２７は、その両端で弱化部３２（以下、弱化部１５，３４と区別をするために便宜的に第２弱化部３２という）を介してキャップ本体２の係止片１６Ａの両端及び外筒８の外面と連続し、他の部分は間隙１７が形成される様に外筒８から離間している。間隙１７は、閉蓋した際に上方より係止片１６Ａによって閉塞される様になっている。
【００２１】
不正開封防止帯４の上面２７ａ（合せ面２８）には、不正開封防止壁３１が形成されている。尚、不正開封防止壁３１は、合せ面２８の外縁に形成されていればよく、例えば、鍔部２６の下面２６ａと連続する様に鍔部２６から垂下するように形成してもよい。
【００２２】
本実施形態では、鍔部２６をその貫通孔２９に係止片１６Ａを貫入することによって、上蓋３とキャップ本体２とを係止し、更に、鍔部２６の下面２６ａと不正開封防止帯４の基部上面２７ａとが合せ面２８を形成する様にしたため、鍔部２６と基部２７との間から鋭利な工具等（図示せず）が差し込まれることが防止され、その結果、不正開封を未然に防止することができる。
【００２３】
そして、間隙１７の下方より当該工具等が差し込まれたとしても、間隙１７の上方は係合片２１によって覆われているため、鍔部２６に当該工具を当てることが困難となっている。又、不正開封防止壁３１があることで、鍔部２６と基部２７との間に当該工具差し込むことをより困難なものとなっている。更に、係止片１６Ａが鍔部２６を係止すると共に抑え突起部２５が係止片１６Ａを抑えることで、２段階で上蓋２とキャップ本体３とが係止されていることになるので、より不正開封を未然に防止することができる。
【００２４】
この上蓋２とキャップ本体３との係止は、不正開封防止帯４の指掛け部３０を引っ張ることで第２弱化部３２を破断させ、不正開封防止帯４を除去した後に、鍔部２６を上方へ持ち上げることで、第１弱化部１５が破断され、解除される。その際に、表示部１３が外方に露出することとなるため、需要者に対して開封の有無を知らせることが可能である。
【００２５】
本発明の第２実施形態について図６乃至図１１に基づいて説明する。第１実施形態との相違は、閉蓋された際に、間隙１７を係止片１６Ａのみで覆う替りに係止片１６Ｂ及び薄肉部３３とで上方より覆う様にしたことである。他の構成については、第１実施形態と同様であるので説明を省略する。
【００２６】
本実施形態では、係止片１６Ｂは、閉蓋された際に不正開封防止帯４とキャップ本体２との間に形成された間隙１７の中央部を上方から覆うように形成され、中央部以外の間隙１７を上方から覆うように薄肉部３３が形成されている。又、鍔部２６の貫通孔２９も、係止片１６Ｂに合わせて第１実施形態よりも小さく形成されている。
【００２７】
薄肉部３３は、不正開封防止帯４の基部上面２７ａに連設されており、第２弱化部３２と連続する弱化部３４（以下、弱化部１５，３２と区別をするために便宜的に第３弱化部３４という）を介してキャップ本体２の外筒８及び係止片１６Ｂとも連続している。つまり、薄肉部３３は、不正開封防止帯４を除去する際に、第２弱化部３２と共に第３弱化部３４が破断され、不正開封防止帯４と共に除去されることとなる。
【００２８】
本実施形態においては、閉蓋された際に間隙１７が係止片１６Ｂ及び薄肉部３３によって上方から覆われているため、間隙１７の下方より工具等が差し込まれたとしても鍔部２６に当該工具を当てることが困難となっている。そのため、第１実施形態と同様により不正開封を未然に防止することができる。尚、間隙１７を全面に亘って薄肉部３３で覆っても同様の効果を得ることができる。更に、係止片１６Ｂが薄肉部３３を介して不正開封防止帯４とも連結されており、セット時（係止片１６Ｂを貫通孔２９に嵌入させる際に）に係止片１６Ｂがぐらつくことを防止できるものとなっている。又、薄肉部３３は合わせ面２８と面一に形成されており、セット時の衝撃が分散できるものとなっており、係止片１６Ｂの基部及至第１弱化線１５に応力が集中するようなことがない。これにより、セット作業を安定的に行うことができる。尚、薄肉部３３の位置は、必ずしも基部上面２７ａと連続している必要はなく、基部２５の下面と連続していても、間隙１７内に形成された構成としても良い。
【００２９】
本発明を、上記実施形態に基づいて説明したが、本発明は上記実施形態に限定されるものではなく発明の要旨を変更しない限りにおいて変更可能である。例えば、図１２に示す本発明の第３実施形態の様に、係止片１６の内周面に係止溝３５等の係止部を形成し、上蓋３のスカート壁２２に係合突起３６の係合部を形成して、上蓋３とキャップ本体２とを係合する様にすることができる。係止部及び係合部は、抑え突起部２５の替りに設けることもできるが、好ましくは、抑え突起部２５と共に設けられる。この様にすることで、３段階で上蓋２とキャップ本体３とが係止することが可能であるため、より不正開封防止性を向上させることができる。又、鍔部２６、係止片１６及び不正開封防止帯４等の大きさ、位置や範囲等は適宜変更が可能である。
【符号の説明】
【００３０】
１      ヒンジキャップ      ２      キャップ本体        ３      上蓋
４      不正開封防止帯      ５      頂壁                ６      係合筒
７      注出筒              ８      外筒                ９      内筒
１０    スコア              １１    開口予定部          １２    プルリング
１３    表示部              １４    ヒンジ部            １５    第１弱化部
１６    係止片              １６ａ  上面                １７    間隙
１８    テーパー面          １９    切欠部              ２０    返し部
２１    天壁                ２２    スカート壁          ２３    中足
２４    インナーリング      ２５    抑え突起部          ２６    鍔部
２６ａ  下面                ２７    基部                ２７ａ  上面
２８    合せ面              ２９    貫通孔              ３０    指掛け部
３１    不正開封防止壁      ３２    第２弱化部          ３３    薄肉部
３４    第３弱化部          ３５    係止溝              ３６    係合突起
【図１】
2014189315.tif 000003
【図２】
2014189315.tif 000004
【図３】
2014189315.tif 000005
【図４】
2014189315.tif 000006
【図５】
2014189315.tif 000007
【図６】
2014189315.tif 000008
【図７】
2014189315.tif 000009
【図８】
2014189315.tif 000010
【図９】
2014189315.tif 000011
【図１０】
2014189315.tif 000012
【図１１】
2014189315.tif 000013
【図１２】
2014189315.tif 000014